(57)【要約】【課題】  識別記号を製本素材に付与する製本発注システムを提供する。【解決手段】製本発注システム１０において、データ入力部１２は、ユーザが作成したコンテンツを読み込む。データ編集部１６は、読み込んだコンテンツから、製本するコンテンツを選定する。また、コンテンツの製本時のページ配置順を設定して製本素材データとして１つのファイルに集約する。識別記号付与部１９は、製本素材データに含まれるコンテンツに識別記号を付与する。製本発注書生成部２２は、ユーザが製本サービス提供者に依頼するための製本発注書を生成し、製本素材データに含まれるコンテンツの縮小画像とコンテンツに付与された識別記号を製本発注書上へ表示する。データ出力部２０は、コンテンツとコンテンツに付与された識別記号を印刷装置３０を介して同一の印刷媒体上に印刷し、また、製本発注書を印刷する。【選択図】    図１
2005202661.tif 000002
【特許請求の範囲】
【請求項１】
内部データを印刷する印刷装置に接続され、ユーザが画像データやテキストデータからなるコンテンツの製本化を製本サービス提供者に依頼する製本発注システムにおいて、
前記ユーザが作成したコンテンツを読み込むデータ入力部と、
読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、
前記製本素材データに含まれる前記コンテンツに識別記号を付与する識別記号付与部と、
前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、
前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、
を備えたことを特徴とする製本発注システム。
【請求項２】
ネットワークと接続するデータ送信部を更に備え、
前記データ送信部は、
前記製本発注書を、前記ネットワークを介して前記製本サービス提供者の製本サービス提供端末に送信することを特徴とする請求項１に記載の製本発注システム。
【請求項３】
前記データ編集部は、ネットワークと接続しており、前記ネットワークを介して前記製本サービス提供者の製本サービス提供端末から画像データを受信して予め設定されている画像データに加えることを特徴とする請求項１に記載の製本発注システム。
【請求項４】
内部データを印刷する印刷装置を利用し、ユーザが画像データやテキストデータからなるコンテンツの製本化を製本サービス提供者に依頼する製本発注方法において、
前記ユーザが作成したコンテンツを読み込む過程と、
読み込んだ前記コンテンツから、前記ユーザの指示に基づいて、製本する前記コンテンツを選定する過程と、
選定した前記コンテンツに、前記ユーザの指示に基づいて、予め設定されている画像データや前記ユーザが入力したテキストデータを追加する過程と、
前記ユーザの指示に基づいて、前記コンテンツの製本時のページ配置順を設定する過程と、
製本化する前記コンテンツを製本素材データとして１つのファイルに集約する過程と、
前記製本素材データに含まれる前記コンテンツに識別記号を付与する過程と、
前記ユーザが前記製本サービス提供者に依頼するための製本発注書を画面上に生成する過程と、
前記製本素材データに含まれる前記コンテンツの縮小画像と前記コンテンツに付与された前記識別記号を前記製本発注書上へ表示する過程と、
前記製本素材データに含まれる前記コンテンツ及び付与された前記識別記号を同一の印刷媒体上に前記印刷装置を介して印刷する過程と、
前記製本発注書を前記印刷装置を介して印刷する過程と、
からなることを特徴とする製本発注方法。
【請求項５】
内部データを印刷する印刷装置に接続され、ユーザが画像データやテキストデータからなるコンテンツの製本化を製本サービス提供者に依頼する製本発注システムのコンピュータに、
前記ユーザが作成したコンテンツを読み込む手順、
読み込んだ前記コンテンツから、前記ユーザの指示に基づいて、製本する前記コンテンツを選定する手順、
選定した前記コンテンツに、前記ユーザの指示に基づいて、予め設定されている画像データや前記ユーザが入力したテキストデータを追加する手順、
前記ユーザの指示に基づいて、前記コンテンツの製本時のページ配置順を設定する手順、
製本化する前記コンテンツを製本素材データとして１つのファイルに集約する手順、
前記製本素材データに含まれる前記コンテンツに識別記号を付与する手順、
前記ユーザが前記製本サービス提供者に依頼するための製本発注書を画面上に生成する手順、
前記製本素材データに含まれる前記コンテンツの縮小画像と前記コンテンツに付与された前記識別記号を前記製本発注書上へ表示する手順、
前記製本素材データに含まれる前記コンテンツ及び付与された前記識別記号を同一の印刷媒体上に前記印刷装置を介して印刷する手順、
前記製本発注書を前記印刷装置を介して印刷する手順、
を実行させるコンピュータプログラム。
【請求項６】
内部データを印刷する印刷装置に接続され、ユーザが画像データやテキストデータからなるコンテンツの製本化を製本サービス提供者に依頼する製本発注装置と、
前記製本サービス提供者が受取った前記コンテンツを製本化する製本装置と、
を備えた製本システムであって、
前記製本発注装置は、
前記ユーザが作成したコンテンツを読み込むデータ入力部と、
読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、
前記製本素材データに含まれる前記コンテンツに識別記号を付与する識別記号付与部と、
前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、
前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、
を備え、
前記製本装置は、
前記コンテンツ及び前記識別記号が印刷された複数の前記印刷媒体を取り込む手段と、前記製本発注書を入力として読み取る手段と、
前記製本発注書の前記識別記号と前記印刷媒体に印刷されている前記識別記号から、一致する前記識別記号を検出して、前記印刷媒体を前記コンテンツのページ配置順に従って製本化する手段と、
を備えたことを特徴とする製本システム。
【発明の詳細な説明】
【技術分野】
【０００１】
本発明は、主として一般ユーザがコンテンツの製本を依頼する場合に用いられる製本発注システム及び方法並びにそのコンピュータプログラムとコンテンツの製本化を行う製本システムに関する。
【背景技術】
【０００２】
従来の技術では、ユーザが本や雑誌等の一部の記事や写真等を選択し、選択した記事や写真等を編集して製本する場合には、ユーザが製本業者等に依頼し、製本業者が印刷から製本化までを行うのが一般的であった。（例えば、特許文献１参照）
また、最近では、デジタルカメラやカメラ付き携帯電話等の普及により、ユーザが自ら撮影した画像データにユーザ自らコンピュータを用いて作成したイラストやメッセージを付加して手作り感を演出したコンテンツを作成することが容易となっている。
さらに、そのようなコンテンツを製本するサービスも提供されており、ネットワークを介してユーザが作成したコンテンツを製本業者に送付し、コンテンツを製本するということも行われている。
ところで、ユーザが所有するコンピュータのディスプレイ等の表示装置で表示される解像度に比べて、製本業者で製本時に使用される印刷装置の解像度は高い解像度を有している。そのため、ユーザがデジタルカメラ等で撮影した画像は、ユーザが所有する表示装置ではピントがあっていても、実際に製本化するとその画像はピントがあっていないことがある。製本業者側では、コンテンツの印刷から製本までの工程を行うため、ピントのあっていない画像であってもそのまま製本化されてしまうこともある。
一方、近年、高解像度のプリンタの普及により、ユーザの自宅においてもユーザが撮影した画像データを写真並みの高い画質でコンテンツを印刷できるようになっている。そのような背景において、ユーザが自らのプリンタで印刷して品質を確認した製本素材を製本業者に送付して製本業者がその製本素材を基に印刷するというサービスも提供されている。
【特許文献１】特開２００２−１５１８９号公報
【発明の開示】
【発明が解決しようとする課題】
【０００３】
従来の技術では、ユーザがネットワーク経由で製本を製本業者に依頼する場合には、発注書と共に製本にしたいコンテンツをデータのままネットワークを介して製本業者に送付するため、送付するデータの中で製本時のページ配置順とコンテンツが関連付けられている。そのため、製本業者がコンテンツの印刷を行った後に、連続して製本作業を行う場合には、ページ配置順の誤りは発生しにくい。また、不測の出来事により、印刷された製本素材の順番がわからなくなっても、製本業者は再度データを確認することで、コンテンツの製本時のページ配置順を再確認することができる。
しかし、ユーザが品質を重視するためにプリンタで印刷した製本素材を郵便等で送付して、製本化を依頼する場合には、コンテンツのデータは製本業者側に送付されない。そのため、例えば、大量のコンテンツを製本する依頼の場合には、送付時にページ配置順に並べられているとは限らないため、再度ページ番号等で確認するという作業の時間を要してしまうという問題がある。
【０００４】
本発明は、上記の問題を解決するためになされたもので、その目的は、ユーザがコンテンツを自らのプリンタで印刷した製本素材を製本する製本サービスにおいて、例え不揃いに製本素材が届いたとしても製本時のコンテンツのページ配置順の情報を製本サービス提供者が製本素材の受領時に確認し、正しい配置で製本することを可能にする製本発注システムと製本システムを提供することである。
【課題を解決するための手段】
【０００５】
上述した課題を解決するために、請求項１に記載の発明は、内部データを印刷する印刷装置に接続され、ユーザが画像データやテキストデータからなるコンテンツの製本化を製本サービス提供者に依頼する製本発注システムにおいて、前記ユーザが作成したコンテンツを読み込むデータ入力部と、読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、前記製本素材データに含まれる前記コンテンツに識別記号を付与する識別記号付与部と、前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、を備えたことを特徴とする製本発注システムである。
【０００６】
請求項２に記載の発明は、請求項１に記載の発明において、ネットワークと接続するデータ送信部を更に備え、前記データ送信部は、前記製本発注書を、前記ネットワークを介して前記製本サービス提供者の製本サービス提供端末に送信することを特徴とする。
【０００７】
請求項３に記載の発明は、請求項１に記載の発明において、前記データ編集部は、ネットワークと接続しており、前記ネットワークを介して前記製本サービス提供者の製本サービス提供端末から画像データを受信して予め設定されている画像データに加えることを特徴とする。
【０００８】
請求項４に記載の発明は、内部データを印刷する印刷装置を利用し、ユーザが画像データやテキストデータからなるコンテンツの製本化を製本サービス提供者に依頼する製本発注方法において、前記ユーザが作成したコンテンツを読み込む過程と、読み込んだ前記コンテンツから、前記ユーザの指示に基づいて、製本する前記コンテンツを選定する過程と、選定した前記コンテンツに、前記ユーザの指示に基づいて、予め設定されている画像データや前記ユーザが入力したテキストデータを追加する過程と、前記ユーザの指示に基づいて、前記コンテンツの製本時のページ配置順を設定する過程と、製本化する前記コンテンツを製本素材データとして１つのファイルに集約する過程と、前記製本素材データに含まれる前記コンテンツに識別記号を付与する過程と、前記ユーザが前記製本サービス提供者に依頼するための製本発注書を画面上に生成する過程と、前記製本素材データに含まれる前記コンテンツの縮小画像と前記コンテンツに付与された前記識別記号を前記製本発注書上へ表示する過程と、前記製本素材データに含まれる前記コンテンツ及び付与された前記識別記号を同一の印刷媒体上に前記印刷装置を介して印刷する過程と、前記製本発注書を前記印刷装置を介して印刷する過程と、からなることを特徴とする製本発注方法である。
【０００９】
請求項５に記載の発明は、内部データを印刷する印刷装置に接続され、ユーザが画像データやテキストデータからなるコンテンツの製本化を製本サービス提供者に依頼する製本発注システムのコンピュータに、前記ユーザが作成したコンテンツを読み込む手順、読み込んだ前記コンテンツから、前記ユーザの指示に基づいて、製本する前記コンテンツを選定する手順、選定した前記コンテンツに、前記ユーザの指示に基づいて、予め設定されている画像データや前記ユーザが入力したテキストデータを追加する手順、前記ユーザの指示に基づいて、前記コンテンツの製本時のページ配置順を設定する手順、製本化する前記コンテンツを製本素材データとして１つのファイルに集約する手順、前記製本素材データに含まれる前記コンテンツに識別記号を付与する手順、前記ユーザが前記製本サービス提供者に依頼するための製本発注書を画面上に生成する手順、前記製本素材データに含まれる前記コンテンツの縮小画像と前記コンテンツに付与された前記識別記号を前記製本発注書上へ表示する手順、前記製本素材データに含まれる前記コンテンツ及び付与された前記識別記号を同一の印刷媒体上に前記印刷装置を介して印刷する手順、前記製本発注書を前記印刷装置を介して印刷する手順、を実行させるコンピュータプログラムである。
【００１０】
請求項６に記載の発明は、内部データを印刷する印刷装置に接続され、ユーザが画像データやテキストデータからなるコンテンツの製本化を製本サービス提供者に依頼する製本発注装置と、前記製本サービス提供者が受取った前記コンテンツを製本化する製本装置と、を備えた製本システムであって、前記製本発注装置は、前記ユーザが作成したコンテンツを読み込むデータ入力部と、読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、前記製本素材データに含まれる前記コンテンツに識別記号を付与する識別記号付与部と、前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、を備え、前記製本装置は、前記コンテンツ及び前記識別記号が印刷された複数の前記印刷媒体を取り込む手段と、前記製本発注書を入力として読み取る手段と、前記製本発注書の前記識別記号と前記印刷媒体に印刷されている前記識別記号から、一致する前記識別記号を検出して、前記印刷媒体を前記コンテンツのページ配置順に従って製本化する手段と、を備えたことを特徴とする製本システムである。
【００１１】
以上説明したように、この発明によれば、ネットワーク経由で送付する製本発注書に縮小されたコンテンツを表示し、その縮小されたコンテンツ毎に識別記号を表示している。また、製本素材を印刷する場合にも素材毎に対応する識別記号を表示する構成になっている。それによって、製本業者は、ネットワーク経由で受信した製本発注書に表示された識別記号と製本素材に印刷された識別記号を製本装置等で読み取り、大量のコンテンツが不揃いになっていても製本のページ配置順に従って自動的に製本化の作業を進めることができるという効果がある。
【００１２】
また、本発明によれば、ネットワークを介してコンテンツの縮小画像を含んだ製本発注書のデータを製本業者に送付する構成となっている。そのため、製本業者は、製本発注書をネットワークで受信した時に、製本素材が郵送で到着する前に行うことができる事前の作業を開始することができ、製本化の時間を短縮できる効果がある。
【００１３】
また、本発明によれば、コンテンツに付加する画像データを製本業者のサーバから取得できる構成となっている。そのため、ユーザは、最初に購入した製本発注システムに設定されている画像データだけでなく、最新の画像を入手し、編集に利用できる効果がある。
【発明を実施するための最良の形態】
【００１４】
以下、本発明の一実施形態による製本発注システムを図面を参照して説明する。
図１は、本発明の一実施形態による製本発注システム１０のブロック図である。
本実施形態では、製本発注システム１０は、例えばユーザの端末上のソフトウェアとして実現されている。以下に、製本発注システム１０の構成要素を説明する。
最初に、ユーザは製本発注システム１０を端末上で起動する。ユーザは自ら撮影したデジタルカメラやカメラ付き携帯電話等で撮影した画像データや、端末上のソフトウェアで作成したイラストやテキスト等のデータを端末内の記憶装置に保存する。
データ入力部１２は、ユーザの指示に基づいて、それらのデータを製本発注システム１０内に取り込む。
次に、データ編集部１６は、以下の処理を行う。まず、データ入力部１２から読み込まれたコンテンツを受信し、ユーザの指示に基づいて、製本するコンテンツを選定する。また、ユーザの指示に基づいて、予めシステムに設定されている画像データから枠、背景等の画像データを選択して、選定したコンテンツに付加する。さらに、また、システム内に設定されているイベントや季節に合った追加ページ用の画像データを、ユーザの指示に基づいて、コンテンツのページに追加する。最終的に、ユーザの指示に基づいて、コンテンツの印刷時のページ配置順を設定し、製本素材データとしてコンテンツを１つのファイルに集約して、システムに保存する。
識別記号付与部１９は保存された製本素材データに含まれるコンテンツ毎に識別記号を付与する。識別記号としては、例えば機械的に読み取れるバーコード等がある。
次に、製本発注書生成部２２は、端末の画面上に製本発注書の入力画面を表示すると共に、製本素材データに含まれるコンテンツの縮小画像とコンテンツ毎に付与された識別記号を製本時のページ配置順に従って、画面上の所定の領域に表示する。ユーザは縮小画像をマウスで選択し、ダブルクリック等の操作をすることによって元の大きさのコンテンツを見ることも可能である。
データ出力部２０は、ユーザの指示に基づいて、印刷装置３０を介して製本素材データに含まれるコンテンツとコンテンツ毎に付与された識別記号を同一の印刷媒体上に印刷する。また、製本発注書も印刷する。ユーザは、印刷された製本素材と製本発注書製本を郵送等で製本サービス提供者に送付する。
受領した製本発注書を製本装置で読み取り、製本素材を印刷装置に入力することにより、製本のページ配置順に従って自動的に製本化の作業を進めることも可能である
なお、この製本発注システム１０では、製本素材と製本発注書を送付する前に、ネットワーク３５を介して製本発注書を送付することも可能である。ユーザが、製本発注書画面上で必要事項を入力し、画面上で送信を選択すると、データ送信部２４は、ネットワーク３５を介して製本サービス提供者の製本サービス提供端末４０に製本発注書を送付する。例えば、ネットワーク３５はインターネットであり、その場合、データ送信部２４はインターネット上で公開されている製本サービス提供者の製本サービス提供端末４０のウェブページ等に送信することになる。製本素材を受領した製本サービス提供者は、ネットワーク経由で受信した製本発注書の縮小画像毎に印刷された識別記号と素材に付与された識別記号を対比することにより、製本時のページ配置順を確認し、正しい配置順で製本する。
【００１５】
図２は、この発明の一実施形態による製本発注システムで生成された発注書５１を示したものである。発注書５１の上部は、注文番号を表示する注文番号欄５２、申込者の氏名を入力する氏名欄５３、注文部数を入力する部数欄５４、印刷する紙媒体のサイズや種別等を入力するタイプ欄５５からなっている。なお、この他にユーザがどのような料金支払い方法を選択したのかを表示する領域を加えることも可能である。
注文番号欄５２には、ユーザが発注書作成システムを購入した際に、発注書作成システム毎に設定されているシリアルナンバーを基に自動的に異なった番号を生成する仕組みとなっており、同一ユーザ内での注文番号の重複防止に加えて、他の製本発注システムとの間での注文番号の重複防止を行うことができる。また、上記の氏名欄５３は１度目の入力が保持されるため、２度目からは自動的に読み出されて、再入力の手間を省く機能も備わっている。
発注書の下部のエリアには、ユーザが読み込んだコンテンツを編集及び加工した後のコンテンツの縮小画像が表示されている。以下、このエリアをサムネイル表示エリア６と呼び、縮小画像をサムネイル画像と呼ぶ。サムネイルエリア６にはユーザが製本にしたいコンテンツのページ配置順、例えばサムネイル画像５６ａ、５６ｂ、５６ｃ、５６ｄ、５６ｅ、５６ｆ、５６ｇのように表示される。ここでは、７つのサムネイル画像を例として示しているが、実際にはユーザが選定したコンテンツの数のサムネイル画像が表示される。
それぞれのサムネイル画像５６ａ、５６ｂ、５６ｃ、５６ｄ、５６ｅ、５６ｆ、５６ｇは製本時のページ順に並んでおり、それぞれに識別記号５７ａ、５７ｂ、５７ｃ、５７ｄ、５７ｅ、５７ｆ、５７ｇが付与されている。
製本素材６０ａ、６０ｂ、６０ｃ、６０ｄ、６０ｅ、６０ｆ、６０ｇはそれぞれサムネイル画像５６ａ、５６ｂ、５６ｃ、５６ｄ、５６ｅ、５６ｆ、５６ｇに対応したものであり、同図に示すように識別記号６１ａ、６１ｂ、６１ｃ、６１ｄ、６１ｅ、６１ｆ、６１ｇが付与されている。識別記号６１ａ、６１ｂ、６１ｃ、６１ｄ、６１ｅ、６１ｆ、６１ｇは発注書に印刷された識別記号５７ａ、５７ｂ、５７ｃ、５７ｄ、５７ｅ、５７ｆ、５７ｇと同じものである。この識別記号の対応付けにより、製本時のページ配置誤りを防ぐことができる。識別記号５７は発注書上でページ順表示されているため、例えば、製本業者の製本装置が識別記号５７を順に読み取り、ページ番号と識別記号５７の対応付けを装置内で行うことができる。その対応付けの情報から、製本装置は、製本素材６０が順番に入力されなくても製本素材の識別記号６１を読み取ることで自動的に順番を認識することが可能となる。
【００１６】
図３は、同実施形態の製本発注システムを用いた発注処理から製本の受領までの流れを示したフローチャートである。以下、フローチャートに従って、処理の詳細を説明する。
まず、ユーザは、スタートキットとして製本発注システムを購入する。（ステップＳＣ１０）製本発注システムは、例えばソフトウェアとして販売され、そのパッケージの中には製本用の専用紙、送付中に製本素材の劣化を防ぐ専用の封筒も含まれている。
ユーザは、端末に製本発注システムをインストールしてユーザ情報の登録を行う（ステップＳＣ２０）。次に、製本発注システムはユーザがデジタルカメラやカメラ付き携帯電話で撮影した画像データやスキャナーで取り込んだ画像データや端末上で作成したイラストやテキストのデータ等のコンテンツをシステム内に読み込む（ステップＳＣ３０）。製本発注システムは、読み込んだコンテンツから、ユーザの指示に基づき、製本化するコンテンツを選定する（ステップＳＣ４０）。ユーザは、製本発注システム上で選定したコンテンツに加えて、製本発注システムに予め設定されている各種イベント場面に合った追加ページ用画像データを読み込んでコンテンツの１つとして追加することもできる。なお、追加ページ用画像データは、サービス提供者のサーバ上で随時更新されており、ユーザは、最新の追加ページ用画像データをダウンロードして製本発注システムに取り込むこともできる（ステップＳＳ１０）。また、ユーザは、選定したコンテンツに予め設定されている枠や背景の画像データを付加してコンテンツの編集を行うこともできる。
そして、最終的には印刷のページ配置順にコンテンツを配置して編集を終了する（ステップＳＣ５０）。製本発注システムは、編集されたコンテンツから、製本素材のベースとなるデータを生成する。具体的には、選定したコンテンツを一つのファイルである製本素材データに結合することである。これにより、印刷時において製本素材データの一括印刷を行うことができ、また、発注後に個々のコンテンツを検索することなく製本素材データから確認することができる（ステップＳＣ６０）。製本素材データが生成されると、製本素材に含まれるコンテンツ毎に識別記号が付与され、コンテンツと共に製本素材データに保存される（ステップＳＣ６５）。
次に、製本発注システムは発注書を端末の画面上に表示する。発注書には申し込みの内容の他、製本を依頼するコンテンツの縮小画像と縮小画像毎に識別記号が表示される。ユーザは、端末の画面上の発注書にユーザが必要な内容を入力する（ステップＳＣ７０）。入力の後に印刷を選択すると下記のステップＳＣ１００の処理を行う。送信を選択した場合の処理は後述する。
次に、ユーザは、製本発注システムを購入したときに同封されている製本専用紙を用いてコンテンツを印刷して製本素材を作成する（ステップＳＣ８０）。また、ユーザは、製本発注書も印刷する。この時、印刷されたコンテンツの所定の場所に識別記号が合わせて印刷される（ステップＳＣ１００）。ユーザは、製本発注システムを購入した際に同封されている製本素材の劣化を防ぐ専用の封筒に、製本素材と製本発注書を入れて、郵送等で製本サービス提供者に送付する（ステップＳＣ１１０）。製本サービス提供者は、ユーザからの製本素材と製本発注書を受取ると、製本化作業を開始する。この製本化作業において、製本素材に印刷された識別記号と製本発注書の識別記号の対応付けが製本装置で行われ、発注書に記されたページ配置順の通りに製本化が行われる（ステップＳＳ４０）。製本サービス提供者は、メールで納期の予定及び料金受領状況等をユーザに連絡し（ステップＳＳ５０）、ユーザはメールを受信して納期予定を確認することができる（ステップＳＣ１２０）。サービス提供者は、製本が完成するとその完了品をユーザに郵送等で送付し（ステップＳＳ６０）、ユーザが完了品を受領して処理が終了する（ステップＳＣ１３０）。
なお、ステップＳＣ７０の後、端末の画面上の製本発注書にユーザが必要な内容を入力した後に、送信を選択すると、製本発注書の情報は、ネットワーク、例えばインターネット上にある製本サービス提供者のウェブサーバに転送される（ステップＳＣ９０）。製本サービス提供者は製本発注書の情報を受信すると（ステップＳＳ２０）、製本素材の受け入れ準備を開始する（ステップＳＳ３０）。製本サービス提供者は、事前にネットワーク経由で製本発注書の情報を受信することで、実際に送付される製本素材の受領までに行うべき作業を行うことが可能となる。それによって、ステップＳＳ４０において製本素材受け入れ時から全ての作業を開始するのに比べて作業時間を短縮することが可能となる。
【００１７】
なお、図１で説明した処理部と上記フローチャートの関係は、以下の通りである。データ入力部１２の処理は、製本素材データ生成（ステップＳＣ３０）、製本素材データ選定（ステップＳＣ４０）、データ編集（ステップＳＣ５０）、製本素材データベース生成（ステップＳＣ６０）に対応する。識別記号付与部１９の処理は、識別記号付与（ステップＳＣ６５）に対応する。製本発注書生成部２２の処理は、製本発注書作成（ステップＳＣ７０）に対応する。データ送信部２４の処理は、製本発注書情報のウェブ転送（ステップＳＣ９０）に対応する。データ出力部２０の処理は製本素材印刷（ステップＳＣ８０）に対応する。
【００１８】
上述の製本発注システムと製本システムは内部に、コンピュータシステムを有している。そして、上述した製本発注システムの処理過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００１９】
【図１】本発明の一実施形態における発注書作成システムのブロック図である。
【図２】同実施形態における発注書の内容及び識別記号を示す図である。
【図３】同実施形態における処理の流れを示したフローチャートである。
【符号の説明】
【００２０】
１０  製本発注システム
１２  データ入力部
１６  データ編集部
１９  識別記号付与部
２０  データ出力部
２２  製本発注書生成部
２４  データ送信部
３０  印刷装置
３５  ネットワーク
４０  製本サービス提供端末
【図１】
2005202661.tif 000003
【図２】
2005202661.tif 000004
【図３】
2005202661.tif 000005